(57)【要約】【課題】  ポンプのケーシングに配設された軸封装置を介してポンプ内部空間から軸受側へ流れ出た漏水を除去するポンプ漏水除去装置であって、従来技術に比べて安価なポンプ漏水除去装置及びポンプ漏水除去方法を提供する。【解決手段】  ポンプのケーシングに配設された軸封装置を介してポンプ内部空間から軸受側へ流れ出た漏水を一時的に貯留する漏水貯留部と、ポンプ出口から延びる配管から分岐した分岐配管の途上に配設した絞り部と前記漏水貯留部から前記絞り部まで延びる吸水管とによって形成されたアスピレータとを備える。【選択図】  図１
2014005790.tif 000002
【特許請求の範囲】
【請求項１】
ポンプのケーシングに配設された軸封装置を介してポンプ内部空間から軸受側へ流れ出た漏水を一時的に貯留する漏水貯留部と、ポンプ出口から延びる配管から分岐した分岐配管の途上に配設した絞り部と前記漏水貯留部から前記絞り部まで延びる吸水管とによって形成されたアスピレータとを備えることを特徴とするポンプ漏水除去装置。
【請求項２】
前記分岐配管のアスピレータよりも下流側の部位がポンプ入口に配管を介して接続された貯水槽に接続されていることを特徴とする請求項１に記載のポンプ漏水除去装置。
【請求項３】
漏水貯留部はポンプと一体形成されていることを特徴とする請求項２に記載のポンプ漏水除去装置。
【請求項４】
漏水貯留部はポンプとは別体で形成され、ポンプに取付けられていることを特徴とする請求項２に記載のポンプ漏水除去装置。
【請求項５】
漏水貯留部はポンプとは別体で形成され、ポンプとは別体で配設されていることを特徴とする請求項２に記載のポンプ漏水除去装置。
【請求項６】
ポンプのケーシングに配設された軸封装置を介してポンプ内部空間から軸受側へ流れ出た漏水を、ポンプ出口から延びる配管から分岐した分岐配管の途上に配設した絞り部と絞り部に接続する吸水管とによって形成されたアスピレータを用いて吸引除去することを特徴とするポンプ漏水除去方法。
【発明の詳細な説明】
【技術分野】
【０００１】
本発明はポンプ漏水除去装置及びポンプ漏水除去方法に関するものである。
【背景技術】
【０００２】
ポンプのケーシングに配設された軸封装置を介してポンプ内部空間から軸受側へ流れ出た漏水は、従来、例えば特許文献１に開示されているように、一時的に漏水貯槽に貯留し、専用の排水ポンプを介して外部環境に排出するのが一般的であった。
【先行技術文献】
【特許文献】
【０００３】
【特許文献１】特開２００７−１７０２８７号公報
【発明の概要】
【発明が解決しようとする課題】
【０００４】
従来のポンプ漏水除去装置には、専用の排水ポンプを要するので高価である、排水ポンプが故障すると漏水の排出ができなくなる等の問題がある。
本発明は上記問題に鑑みてなされたものであり、従来技術に比べて安価であり信頼性の高いポンプ漏水除去装置及びポンプ漏水除去方法を提供することを目的とする。
【課題を解決するための手段】
【０００５】
上記課題を解決するために、本発明においては、ポンプのケーシングに配設された軸封装置を介してポンプ内部空間から軸受側へ流れ出た漏水を一時的に貯留する漏水貯留部と、ポンプ出口から延びる配管から分岐した分岐配管の途上に配設した絞り部と前記漏水貯留部から前記絞り部まで延びる吸水管とによって形成されたアスピレータとを備えることを特徴とするポンプ漏水除去装置を提供する。
本発明においては、漏水貯留部に溜まった漏水を、ポンプ吐出水を利用したアスピレータで吸い出す。アスピレータは、ポンプ出口から延びる配管から分岐した分岐配管の途上に配設した絞り部と前記漏水貯留部から前記絞り部まで延びる吸水管とによって形成され、構成が単純なので、従来技術で使用する排水ポンプに比べて安価であり、また故障の可能性が低く信頼性が高い。
前記分岐配管のアスピレータよりも下流側の部位をポンプ入口に配管を介して接続された貯水槽に接続し、漏水を貯水槽に戻せば、漏水の外部環境への排出が防止され、漏水による外部環境汚染が防止される。
軸封装置からの漏水流量が微小の場合には、小容量の漏水貯留部をポンプと一体形成し、或いはポンプと別体で形成してポンプに取付けても良い。軸封装置からの漏水流量が微小でない場合には、漏水貯槽等の比較的大容量の漏水貯留部をポンプとは別体で形成してポンプとは別体で配設しても良い。
本発明においては、ポンプのケーシングに配設された軸封装置を介してポンプ内部空間から軸受側へ流れ出た漏水を、ポンプ出口から延びる配管から分岐した分岐配管の途上に配設した絞り部と絞り部に接続する吸水管とによって形成されたアスピレータを用いて吸引除去することを特徴とするポンプ漏水除去方法を提供する。
アスピレータを用いたポンプ漏水除去方法は従来技術に比べて安価であり、且つ信頼性が高い。
【発明の効果】
【０００６】
本発明により、従来技術に比べて安価であり信頼性の高いポンプ漏水除去装置及びポンプ漏水除去方法が提供される。
【図面の簡単な説明】
【０００７】
【図１】本発明の実施例に係るポンプ漏水除去装置の構造図である。
【発明を実施するための形態】
【０００８】
本発明の実施例に係るポンプ漏水除去装置及びポンプ漏水除去方法を説明する。
図１に示すように、ポンプＡのケーシング１を貫通して主軸２がポンプＡ外へ延びている。主軸２のポンプＡ内部空間α内に在る一端にはインペラ３が固定され、主軸２のポンプＡ外に在る他端は、図示しない外部駆動源に連結されている。ケーシング１のインペラ近傍部には軸封装置４が配設され、ケーシング１の外部駆動源側端部には軸受５が配設されている。
軸封装置４と軸受５との間に空間６が形成されている。空間６の下端部は下方の外部空間に連通している。空間６下方の外部空間に配設され或いは空間６下方でポンプＡの外表面に形成された図示しない漏水受部が、排水管７を介して、ポンプＡ近傍下方に配設された漏水貯槽８に接続している。
ポンプＡの入り口Ａ’は配管９を介して貯水槽１０に接続している。ポンプＡの出口Ａ”は配管１１を介して、図示しない水利用機器に接続している。
配管１１から分岐配管１２が延びている。分岐配管１２の途上に、絞り部１３と、漏水貯槽８から延びて絞り部１３に接続する吸水管１４とで構成されるアスピレータ１５が配設されており、分岐配管１２のアスピレータ１５よりも下流側の部位が、貯水槽１０に接続している。
漏水貯槽８、分岐配管１２、アスピレータ１５によってポンプ漏水除去装置が形成されている。
【０００９】
上記構成を有するポンプ漏水除去装置の作動を説明する。
図示しない外部駆動源が回転し、主軸２が回転する。主軸２の回転に伴ってインペラ３が回転し、貯水槽１０内の水が、図１に白抜大矢印で示すように、配管９と入口Ａ’とを通ってポンプＡ内部空間αに流入し、インペラ３によって駆動され、出口Ａ”を通ってポンプＡ内部空間αから流出し、図１に白抜大矢印で示すように、配管１１を通って図示しない水利用機器に供給される。配管１１を流れる水の一部は、図１に白抜小矢印で示すように、分岐配管１２へ流入し、貯水槽１０に還流する。絞り部１３を流れる高速水流によって絞り部１３内に負圧が形成され、吸水管１４内に絞り部１３へ向けて低下する圧力勾配が形成される。
インペラ３が配設されたポンプＡ内部空間αから、少流量の水が軸封装置４を通って軸受側の空間６へ漏出し、空間６の下端部から下方の図示しない漏水受部に流入し、排水管７を通って漏水貯槽８に流入する。
漏水貯槽８内の漏水は、アスピレータ１５によって吸い出されて、より具体的には絞り部１３へ向けて低下する圧力勾配が形成された吸水管１４に吸い込まれ、図１に実線矢印で示すように、吸水管１４を通って絞り部１３に流入して、配管１１から分岐配管１２へ流入した水と共に、分岐配管１２のアスピレータ１５よりも下流側の部位を通って、貯水槽１０に還流する。
上記説明から分かるように、本実施例に係るポンプ漏水除去装置においては、漏水貯槽８に溜まった漏水を、ポンプ吐出水を利用したアスピレータ１５で吸い出す。アスピレータ１５は、ポンプ出口Ａ”から延びる配管１１から分岐した分岐配管１２の途上に配設した絞り部１３と、漏水貯槽８から絞り部１３まで延びる吸水管１４とによって形成され、構成が単純なので、従来技術で使用する排水ポンプに比べて安価であり、また故障の可能性が低く信頼性が高い。
分岐配管１２のアスピレータ１５よりも下流側の部位を貯水槽１０に接続し、漏水を貯水槽１０に戻すので、漏水の外部環境への排出が防止され、漏水による外部環境汚染が防止される。
【００１０】
軸封装置４からの漏水流量が微小の場合には、図１に一点鎖線で示すように、漏水貯槽８に代えて小容量の漏水貯留部１６をポンプＡと一体形成し、或いはポンプＡと別体で形成してポンプＡに取付け、吸水管１７を介して漏水貯留部１６を絞り部１３に接続して、図１に一点鎖線矢印で示すように、吸水管１７を介して漏水貯留部１６内の漏水を絞り部１３へ吸い出しても良い。
軸封装置４からの漏水流量が微小でない場合には、図１に実線で示すように、漏水貯槽８等の比較的大容量の漏水貯留部をポンプ１とは別体で形成してポンプ１とは別体で配設すれば良い。
漏水貯留部を設けず、空間６の下部から直接に、或いは軸封装置４の直下から直接に、絞り部１３へ漏水を導いても良い。
環境汚染の可能性が無い場合には、漏水を貯水槽１０に戻さず、外部環境へ排出しても良い。
アスピレータを用いたポンプ漏水除去方法は従来技術に比べて安価であり、且つ信頼性が高い。
【産業上の利用可能性】
【００１１】
本発明は、ポンプの漏水除去に広く利用可能である。
【符号の説明】
【００１２】
Ａ  ポンプ
Ａ’   入口
Ａ”   出口
α  ポンプＡ内部空間
１  ケーシング
２  主軸
３  インペラ
４  軸封装置
５  軸受
６  空間
７  排水管
８  漏水貯槽
９、１１  配管
１０  貯水槽
１２  分岐配管
１３  絞り部
１４、１７  吸水管
１５  アスピレータ
１６  漏水貯留部
【図１】
2014005790.tif 000003